(57)【要約】【課題】貯蔵量を良好に視認させ得る表示器及び貯蔵システムを提供する。【解決手段】表示器１４は、所定方向に配列された複数の棒状光源４０Ａ１〜４０Ａ１０を備える第１光源部４２Ａと、所定方向に配列された複数の環状光源４０Ｂ１、４０Ｂ２を備えるとともに第１光源部に隣接するように第１光源部の一方の側に配された第２光源部４２Ｂとを備える表示部２６と、貯蔵部１６に貯蔵された貯蔵対象の貯蔵量に応じた棒状光源を発光させる制御部２８とを備え、制御部は、第１光源部に備えられた複数の棒状光源のうちの第２光源部に隣接する棒状光源４０Ａ１０と、第２光源部に備えられた２つの環状光源４０Ｂ１、４０Ｂ２とを発光させることにより、算用数字の１００を表示可能である。【選択図】図４
2020198664.tif 000002
【特許請求の範囲】
【請求項１】
所定方向に配列された複数の棒状光源を備える第１光源部と、前記所定方向に配列された複数の環状光源を備えるとともに前記第１光源部に隣接するように前記第１光源部の一方の側に配された第２光源部とを備える表示部と、
貯蔵部に貯蔵された貯蔵対象の貯蔵量に応じた前記棒状光源を発光させる制御部と
を備え、
前記制御部は、前記第１光源部に備えられた前記複数の棒状光源のうちのいずれかと、前記第２光源部に備えられた２つの前記環状光源とを発光させることにより、算用数字の１００を表示可能である、表示器。
【請求項２】
請求項１に記載の表示器において、
前記制御部は、前記貯蔵量が第１閾値を超えた場合に、前記第１光源部に備えられた前記複数の棒状光源のうちの前記いずれかと、前記第２光源部に備えられた前記複数の環状光源とを発光させることにより、前記算用数字の１００を表示する、表示器。
【請求項３】
請求項１又は２に記載の表示器において、
前記表示部は、少なくとも１つの環状光源を備えるとともに、前記第１光源部に隣接するように前記第１光源部の他方の側に配された第３光源部を更に備え、
前記制御部は、前記第３光源部に備えられた前記環状光源を発光させることにより、算用数字の０を表示可能である、表示器。
【請求項４】
請求項３に記載の表示器において、
前記制御部は、前記貯蔵量が第２閾値未満である場合に、前記第３光源部に備えられた前記環状光源を発光させることにより、前記算用数字の０を表示する、表示器。
【請求項５】
請求項３又は４に記載の表示器において、
前記制御部は、前記算用数字の１００を表示する際には、前記第１光源部に備えられた前記複数の棒状光源のうちの前記いずれかと、前記第２光源部に備えられた前記複数の環状光源とを第１の色で発光させ、前記算用数字の０を表示する際には、前記第３光源部に備えられた前記環状光源を前記第１の色とは異なる第２の色で発光させる、表示器。
【請求項６】
請求項１〜４のいずれか１項に記載の表示器において、
前記制御部は、前記貯蔵部に前記貯蔵対象を充填中である場合と、前記貯蔵部から前記貯蔵対象を放出中である場合とで、前記棒状光源を互いに異なる色で発光させる、表示器。
【請求項７】
請求項１〜６のいずれか１項に記載の表示器において、
前記制御部は、前記貯蔵部に前記貯蔵対象を充填中である場合、前記第２光源部に備えられた前記複数の環状光源のうちの第１の環状光源と、前記第２光源部に備えられた前記複数の環状光源のうちの第２の環状光源とを互いに異なる色で発光させる、表示器。
【請求項８】
請求項１〜７のいずれか１項に記載の表示器において、
前記制御部は、前記棒状光源又は前記環状光源を、連続発光又は点滅発光させ得る、表示器。
【請求項９】
請求項１〜８のいずれか１項に記載の表示器において、
前記制御部は、前記複数の環状光源のうちの少なくともいずれかを発光させることにより、前記貯蔵部に前記貯蔵対象を充填中であること、前記貯蔵部から前記貯蔵対象を放出中であること、前記貯蔵部に前記貯蔵対象が存在しないこと、及び、前記貯蔵部に前記貯蔵対象が存在していることのうちの少なくともいずれかを示す、表示器。
【請求項１０】
請求項１〜９のいずれか１項に記載の表示器において、
前記貯蔵部は、バッテリである、表示器。
【請求項１１】
前記貯蔵部が備えられた貯蔵装置と、
請求項１〜１０のいずれか１項に記載の表示器と
を備える、貯蔵システム。
【発明の詳細な説明】
【技術分野】
【０００１】
本発明は、表示器及び貯蔵システムに関する。
【背景技術】
【０００２】
特許文献１には、二次電池の残量に応じてＬＥＤを点灯する表示器が開示されている。特許文献１では、二次電池の残量が８１〜１００％である場合には、５つのＬＥＤを点灯させ、二次電池の残量が５〜２０％である場合には、１つのＬＥＤを点灯させる。
【先行技術文献】
【特許文献】
【０００３】
【特許文献１】特開２０１３−３８８３３号公報
【発明の概要】
【発明が解決しようとする課題】
【０００４】
しかしながら、特許文献１に開示された表示器では、二次電池の残量等を必ずしも良好に視認させ得ない。
【０００５】
本発明の目的は、貯蔵対象の貯蔵量を良好に視認させ得る表示器及び貯蔵システムを提供することにある。
【課題を解決するための手段】
【０００６】
本発明の一態様による表示器は、所定方向に配列された複数の棒状光源を備える第１光源部と、前記所定方向に配列された複数の環状光源を備えるとともに前記第１光源部に隣接するように前記第１光源部の一方の側に配された第２光源部とを備える表示部と、貯蔵部に貯蔵された貯蔵対象の貯蔵量に応じた前記棒状光源を発光させる制御部とを備え、前記制御部は、前記第１光源部に備えられた前記複数の棒状光源のうちのいずれかと、前記第２光源部に備えられた２つの前記環状光源とを発光させることにより、算用数字の１００を表示可能である。
【０００７】
本発明の他の態様による貯蔵システムは、前記貯蔵部が備えられた貯蔵装置と、上記のような表示器とを備える。
【発明の効果】
【０００８】
本発明によれば、貯蔵量を良好に視認させ得る表示器及び貯蔵システムを提供することができる。
【図面の簡単な説明】
【０００９】
【図１】一実施形態による貯蔵システムを示すブロック図である。
【図２】一実施形態による貯蔵システムの動作の例を示すフローチャートである。
【図３】図３Ａ〜図３Ｇは、表示部の例を示す概略図である。
【図４】図４Ａ〜図４Ｈは、表示部の表示の例を示す図である。
【図５】一実施形態による貯蔵システムの動作の例を示すフローチャートである。
【図６】待機状態表示処理の例を示すフローチャートである。
【図７】充電状態表示処理の例を示すフローチャートである。
【図８】放電状態表示処理の例を示すフローチャートである。
【図９】エラー状態表示処理の例を示すフローチャートである。
【図１０】待機状態における表示部の表示の例を示す図である。
【図１１】充電状態における表示部の表示の例を示す図である。
【図１２】放電状態における表示部の表示の例を示す図である。
【図１３】エラー状態における表示部の表示の例を示す図である。
【発明を実施するための形態】
【００１０】
本発明による表示器及び貯蔵システムについて、好適な実施形態を挙げ、添付の図面を参照して以下に詳細に説明する。
【００１１】
［一実施形態］
一実施形態による表示器及び貯蔵システムについて図面を用いて説明する。図１は、本実施形態による貯蔵システムを示すブロック図である。
【００１２】
図１に示すように、本実施形態による貯蔵システム１０には、貯蔵装置１２と、表示器１４とが備えられている。表示器１４は、後述する貯蔵部１６に貯蔵された貯蔵対象の貯蔵量を表示する。
【００１３】
貯蔵装置１２には、貯蔵部１６と、制御部１８と、通信部２０と、電源２１とが備えられている。
【００１４】
貯蔵部１６には、貯蔵対象が貯蔵され得る。ここでは、貯蔵対象が例えば電荷である場合を例に説明するが、これに限定されるものではない。貯蔵部１６は、例えば、バッテリ等によって構成され得るが、これに限定されるものではない。ここでは、貯蔵部１６が交換式バッテリである場合を例に説明する。制御部１８は、貯蔵装置１２及び貯蔵部１６に備えられた不図示のセンサ等によって取得される情報等に基づいて、貯蔵部１６に貯蔵された貯蔵対象の貯蔵量を判定する。貯蔵装置１２が充電装置である場合、制御部１８は、貯蔵部１６に対する充電を制御し得る。貯蔵装置１２が放電装置である場合、制御部１８は、貯蔵部１６からの放電を制御し得る。貯蔵装置１２が充放電装置である場合、制御部１８は、貯蔵部１６における充放電を制御し得る。
【００１５】
制御部１８は、貯蔵装置１２の全体の制御を司る。制御部１８には、演算部２２と、記憶部２４とが備えられている。演算部２２は、例えば、ＣＰＵ（Ｃｅｎｔｒａｌ  Ｐｒｏｃｅｓｓｉｎｇ  Ｕｎｉｔ）等によって構成され得るが、これに限定されるものではない。記憶部２４には、例えば、不図示の揮発性メモリと、不図示の不揮発性メモリとが備えられている。揮発性メモリとしては、例えばＲＡＭ（Ｒａｎｄｏｍ  Ａｃｃｅｓｓ  Ｍｅｍｏｒｙ）等が挙げられる。不揮発性メモリとしては、例えばＲＯＭ（Ｒｅａｄ  Ｏｎｌｙ  Ｍｅｍｏｒｙ）、フラッシュメモリ等が挙げられる。プログラム、データ等が、記憶部２４に記憶され得る。制御部１８は、貯蔵部１６に貯蔵された貯蔵対象の貯蔵量を示す情報、より具体的には、バッテリ残量を示す情報を、通信部２０を介して表示器１４に送信する。また、制御部１８は、貯蔵装置１２又は貯蔵部１６の異常を示す情報を、通信部２０を介して表示器１４に送信する。
【００１６】
通信部２０は、表示器１４に備えられた通信部３０との間で通信を行い得る。通信部２０は、通信部３０との間で例えば有線通信を行い得るが、これに限定されるものではない。通信部２０と通信部３０との間で無線通信が行われるようにしてもよい。
【００１７】
電源２１は、貯蔵装置１２に備えられた構成要素の各々に電力を供給する。電源２１は、例えば、商用の交流電力を直流電力に変換し、貯蔵装置１２に備えられた構成要素の各々に当該直流電力を供給し得る。
【００１８】
表示器１４には、表示部２６と、制御部２８と、通信部３０と、電源３２とが備えられている。
【００１９】
表示部２６は、後述するように、貯蔵部１６に貯蔵された貯蔵対象の貯蔵量、貯蔵装置１２又は貯蔵部１６の異常等を表示し得る。表示部２６の具体的な構成については、後述することする。
【００２０】
制御部２８は、表示器１４の全体の制御を司る。制御部２８には、演算部３４と、記憶部３６とが備えられている。演算部３４は、例えば、ＣＰＵ等によって構成され得るが、これに限定されるものではない。記憶部３６には、例えば、不図示の揮発性メモリと、不図示の不揮発性メモリとが備えられている。揮発性メモリとしては、例えばＲＡＭ等が挙げられる。不揮発性メモリとしては、例えばＲＯＭ、フラッシュメモリ等が挙げられる。プログラム、データ等が、記憶部３６に記憶され得る。制御部２８は、貯蔵装置１２から通信部３０を介して供給される情報、具体的には、貯蔵部１６に貯蔵された貯蔵対象の貯蔵量を示す情報、貯蔵装置１２又は貯蔵部１６の異常を示す情報等に基づいて、表示部２６を用いた表示を行う。制御部２８は、後述するように、貯蔵部１６に貯蔵された貯蔵対象の貯蔵量に応じた棒状光源４０Ａ１〜４０Ａ１０を所定の色で発光させ得る。より具体的には、制御部２８は、後述するように、貯蔵部１６に貯蔵された貯蔵対象の貯蔵量に応じた数の棒状光源４０Ａ１〜４０Ａ１０を所定の色で発光させ得る。また、制御部２８は、後述するように、複数の環状光源４０Ｂ１、４０Ｂ２、４０Ｃのうちの少なくともいずれかを所定の色で発光させることにより、貯蔵部１６に貯蔵対象を充填中であることを示し得る。また、制御部２８は、後述するように、複数の環状光源４０Ｂ１、４０Ｂ２、４０Ｃのうちの少なくともいずれかを所定の色で発光させることにより、貯蔵部１６から貯蔵対象を放出中であることを示し得る。また、制御部２８は、後述するように、複数の環状光源４０Ｂ１、４０Ｂ２、４０Ｃのうちの少なくともいずれかを所定の色で発光させることにより、貯蔵部１６に貯蔵対象が存在していないことを示し得る。また、制御部２８は、後述するように、複数の環状光源４０Ｂ１、４０Ｂ２、４０Ｃのうちの少なくともいずれかを所定の色で発光させることにより、貯蔵部１６に貯蔵対象が存在していることを示し得る。
【００２１】
通信部３０は、貯蔵装置１２に備えられた通信部２０との間で通信を行い得る。通信部３０は、通信部２０との間で例えば有線通信を行い得るが、これに限定されるものではない。上述したように、通信部３０と通信部２０との間で無線通信が行われるようにしてもよい。
【００２２】
電源３２は、表示器１４に備えられた構成要素の各々に電力を供給する。
【００２３】
図２は、本実施形態による貯蔵システムの動作の例を示すフローチャートである。ここでは、表示器１４が貯蔵装置１２に接続された際に表示器１４による表示が開始され、表示器１４が貯蔵装置１２から切断された際に表示器１４による表示が終了する場合を例に説明するが、これに限定されるものではない。例えば、貯蔵装置１２に備えられた不図示の収容室内に貯蔵部１６が収容された際に表示器１４による表示が開始され、当該収容室内から貯蔵部１６が取り出された際に表示器１４による表示が終了するようにしてもよい。
【００２４】
ステップＳ１において、表示器１４に備えられた制御部２８は、当該表示器１４に貯蔵装置１２が接続されたか否かを判定する。表示器１４に貯蔵装置１２が接続されていない場合（ステップＳ１においてＮＯ）、ステップＳ１が繰り返される。表示器１４に貯蔵装置１２が接続された場合（ステップＳ１においてＹＥＳ）、ステップＳ２に遷移する。
【００２５】
ステップＳ２において、制御部２８は、表示部２６を用いた表示を開始する。表示部２６を用いた表示が開始される際には、後述するように、例えば図４Ｂに示すような表示が行われる。この後、ステップＳ３に遷移する。
【００２６】
ステップＳ３において、制御部２８は、貯蔵装置１２から供給される情報を、通信部３０を介して取得する。この後、ステップＳ４に遷移する。
【００２７】
ステップＳ４において、制御部２８は、貯蔵装置１２から供給された情報に基づいて、表示部２６を用いた表示を行う。この後、ステップＳ５に遷移する。
【００２８】
ステップＳ５において、制御部２８は、表示器１４から貯蔵装置１２が切断されたか否かを判定する。表示器１４が貯蔵装置１２から切断されていない場合（ステップＳ５においてＮＯ）、ステップＳ３以降の処理が繰り返される。表示器１４から貯蔵装置１２が切断された場合（ステップＳ５においてＹＥＳ）、ステップＳ６に遷移する。
【００２９】
ステップＳ６において、制御部２８は、表示器１４を用いた表示を終了する。こうして、図２に示す処理が完了する。
【００３０】
図３Ａは、本実施形態による表示器に備えられた表示部の例を示す概略図である。
【００３１】
図３Ａに示すように、表示部２６には、第１光源部４２Ａと、第２光源部４２Ｂと、第３光源部４２Ｃとが備えられている。第２光源部４２Ｂは、第１光源部４２Ａの一方の側、即ち、右側に配されている。第２光源部４２Ｂは、第１光源部４２Ａに隣接するように配されている。第３光源部４２Ｃは、第１光源部４２Ａの他方の側、即ち、左側に配されている。第３光源部４２Ｃは、第１光源部４２Ａに隣接するように配されている。
【００３２】
第１光源部４２Ａには、所定方向に配列された複数の棒状光源４０Ａ１〜４０Ａ１０が備えられている。複数の棒状光源４０Ａ１〜４０Ａ１０は、表示部２６の長手方向に沿うように配列されている。複数の棒状光源４０Ａ１〜４０Ａ１０の各々の長手方向は、互いに同じ方向に設定されている。複数の棒状光源４０Ａ１〜４０Ａ１０の各々の長手方向は、表示部２６の長手方向に対して交差する方向、より具体的には、表示部２６の長手方向に対して垂直な方向に設定されている。第１光源部４２Ａに備えられた棒状光源一般について説明する際には、符号４０Ａを用い、第１光源部４２Ａに備えられた個々の棒状光源について説明する際には、符号４０Ａ１〜４０Ａ１０を用いる。棒状光源４０Ａは、例えば、棒状のＬＥＤ（Ｌｉｇｈｔ  Ｅｍｉｔｔｉｎｇ  Ｄｉｏｄｅ）によって構成され得るが、これに限定されるものではない。
【００３３】
第２光源部４２Ｂには、所定方向に配列された複数の環状光源（円形光源、リング状光源）４０Ｂ１、４０Ｂ２が備えられている。複数の環状光源４０Ｂ１、４０Ｂ２は、表示部２６の長手方向に沿うように配列されている。第２光源部４２Ｂに備えられた環状光源一般について説明する際には、符号４０Ｂを用い、第２光源部４２Ｂに備えられた個々の環状光源について説明する際には、符号４０Ｂ１、４０Ｂ２を用いる。環状光源４０Ｂは、例えば、環状のＬＥＤによって構成され得る。なお、環状光源４０Ｂの形状は、正円に限定されるものではない。
【００３４】
第３光源部４２Ｃには、環状光源４０Ｃが備えられている。環状光源４０Ｃは、例えば、環状のＬＥＤによって構成され得る。なお、環状光源４０Ｃの形状は、正円に限定されるものではない。
【００３５】
このように、表示部２６は、複数の棒状光源４０Ａと、複数の環状光源４０Ｂ、４０Ｃとを含む光源群３８によって構成されている。光源群３８を構成する光源一般について説明する際には、符号４０を用い、光源群３８に備えられた個々の光源について説明する際には、符号４０Ａ１〜４０Ａ１０、４０Ｂ１、４０Ｂ２、４０Ｃを用いる。光源群３８を構成する光源４０は、表示部２６の長手方向に沿うように配列されている。
【００３６】
ここでは、光源４０がＬＥＤによって構成される場合を例に説明するが、ＬＥＤ以外の部材によって光源４０が構成されるようにしてもよい。例えば、ＯＬＥＤ（Ｏｒｇａｎｉｃ  Ｌｉｇｈｔ  Ｅｍｉｔｔｉｎｇ  Ｄｉｏｄｅ）によって光源４０が構成されるようにしてもよい。また、ここでは、光源群３８が、１０個の棒状光源４０Ａと、３個の環状光源４０Ｂ、４０Ｃとによって構成されている場合を例に説明するが、棒状光源４０Ａの数、及び、環状光源４０Ｂ、４０Ｃの数は、これに限定されるものではない。
【００３７】
図４Ａは、表示器による表示が開始されていない際における表示部の表示の例を示す図である。表示器１４による表示が開始されていない際には、図４Ａに示すように、表示部２６を構成する光源群３８のうちの全ての光源４０が滅灯している。
【００３８】
図４Ｂは、表示器による表示が開始された際における表示部の表示の例を示す図である。表示器１４による表示を開始する際、制御部２８は、図４Ｂに示すように、例えば、第２光源部４２Ｂに備えられた環状光源４０Ｂ２を点灯、即ち、連続点灯（連続発光）させる。この際、制御部２８は、当該環状光源４０Ｂ２を例えば緑色に発光させる。なお、ここでは、当該環状光源４０Ｂ２を緑色に発光させる場合を例に説明するが、これに限定されるものではない。また、ここでは、環状光源４０Ｂ２を連続点灯、即ち、連続発光させる場合を例に説明するが、これに限定されるものではない。当該環状光源４０Ｂ２を点滅（点滅発光）させるようにしてもよい。
【００３９】
図４Ｃは、貯蔵量が第１閾値を超える際における表示部の表示の例を示す図である。第１閾値は、例えば９９％とするが、これに限定されるものではない。貯蔵量が第１閾値を超える場合、貯蔵装置１２に備えられた制御部１８は、貯蔵量が１００％、即ち、最大であると判定する。貯蔵量が１００％であると判定された場合、表示器１４に備えられた制御部２８は、複数の棒状光源４０Ａのうちの右端に位置する棒状光源４０Ａ１０と、第２光源部４２Ｂに備えられた２つの環状光源４０Ｂ１、４０Ｂ２とを連続点灯させる。この際、制御部２８は、棒状光源４０Ａ１０及び環状光源４０Ｂ１、４０Ｂ２を例えば緑色に発光させる。点灯した棒状光源４０Ａ１０は、算用数字（アラビア数字）の「１」と視認され得る。点灯した２つの環状光源４０Ｂ１、４０Ｂ２は、それぞれ算用数字の「０」と視認され得る。棒状光源４０Ａ１０と、環状光源４０Ｂ１と、環状光源４０Ｂ２とが点灯されるため、表示部２６の表示は、ユーザによって「１００」と視認され得る。「１００」という表示は、貯蔵部１６に貯蔵された貯蔵対象の貯蔵量が１００％であること、即ち、貯蔵部１６に貯蔵された貯蔵対象の貯蔵量が最大であることを意味する。
【００４０】
なお、ここでは、棒状光源４０Ａ１０及び環状光源４０Ｂ１、４０Ｂ２を緑色に発光させる場合を例に説明するが、これに限定されるものではない。また、ここでは、棒状光源４０Ａ１０及び環状光源４０Ｂ１、４０Ｂ２を連続点灯させる場合を例に説明するが、これに限定されるものではない。棒状光源４０Ａ１０及び環状光源４０Ｂ１、４０Ｂ２を点滅させるようにしてもよい。
【００４１】
図４Ｄは、貯蔵量が第２閾値未満である際における表示部の表示の例を示す図である。第２閾値は、例えば１％とするが、これに限定されるものではない。貯蔵量が第２閾値未満である場合、貯蔵装置１２に備えられた制御部１８は、貯蔵量が０％、即ち、最小であると判定する。貯蔵量が０％であると判定された場合、表示器１４に備えられた制御部２８は、第３光源部４２Ｃに備えられた環状光源４０Ｃを連続点灯させる。この際、制御部２８は、環状光源４０Ｃを例えば赤色に発光させる。貯蔵量が１００％である場合は、上述したように、環状光源４０Ｂ１、４０Ｂ２を緑色で発光させたが、貯蔵量が０％である場合は、貯蔵量が１００％である場合とは異なる色で環状光源４０Ｃを発光させる。点灯した環状光源４０Ｃは、算用数字の「０」と認識され得る。環状光源４０Ｃが点灯されると、表示部２６の表示は、ユーザによって「０」と認識され得る。「０」という表示は、貯蔵部１６に貯蔵された貯蔵対象の貯蔵量が０％であること、即ち、貯蔵部１６に貯蔵された貯蔵対象の貯蔵量が最小であることを意味する。
【００４２】
なお、ここでは、環状光源４０Ｃを赤色に発光させる場合を例に説明するが、これに限定されるものではない。また、ここでは、環状光源４０Ｃを連続点灯させる場合を例に説明するが、これに限定されるものではない。環状光源４０Ｃを点滅させるようにしてもよい。
【００４３】
図４Ｅは、貯蔵部に貯蔵対象を充填中の場合における表示部の表示の例を示す図である。図４Ｅには、貯蔵部１６に貯蔵対象を充填中、即ち、充電中であり、且つ、貯蔵量が５０％から６０％に遷移しつつある場合の表示の例が示されている。貯蔵量が５０％を超えているため、表示器１４に備えられた制御部２８は、棒状光源４０Ａ１〜４０Ａ５を連続点灯させる。この際、制御部２８は、棒状光源４０Ａ１〜４０Ａ５を例えば赤色に発光させる。貯蔵量が５０％から６０％に遷移しつつあるため、制御部２８は、棒状光源４０Ａ６を点滅させる。この際、制御部２８は、棒状光源４０Ａ６を例えば赤色に点滅させる。また、制御部２８は、環状光源（第１の環状光源）４０Ｂ１を赤色に発光させ、環状光源（第２の環状光源）４０Ｂ２を緑色に点灯させる。環状光源４０Ｂ１が赤色に発光し、環状光源４０Ｂ２が緑色に発光することは、例えば充電中であることを意味する。
【００４４】
なお、ここでは、棒状光源４０Ａ１〜４０Ａ５を連続点灯させ、棒状光源４０Ａ６を点滅させる場合を例に説明するが、これに限定されるものではない。例えば、棒状光源４０Ａ１〜４０Ａ６を全て連続点灯させるようにしてもよいし、棒状光源４０Ａ１〜４０Ａ６を全て点滅させるようにしてもよい。また、ここでは、棒状光源４０Ａ１〜４０Ａ６を赤色に発光させる場合を例に説明するが、これに限定されるものではない。また、ここでは、環状光源４０Ｂ１を赤色に発光させ、環状光源４０Ｂ２を緑色に発光させる場合を例に説明するが、これに限定されるものではない。また、ここでは、環状光源４０Ｂ１、４０Ｂ２を連続点灯させる場合を例に説明するが、これに限定されるものではない。環状光源４０Ｂ１、４０Ｂ２を点滅させるようにしてもよい。
【００４５】
図４Ｆは、待機状態における表示部の表示の例を示す図である。待機状態とは、貯蔵部１６に対する貯蔵対象の充填も、貯蔵部１６からの貯蔵対象の放出も行われていない状態である。図４Ｆには、貯蔵量が５０％である場合の例が示されている。貯蔵量が５０％であるため、表示器１４に備えられた制御部２８は、棒状光源４０Ａ１〜４０Ａ５を連続点灯させる。この際、制御部２８は、棒状光源４０Ａ１〜４０Ａ５を例えば緑色に発光させる。また、制御部２８は、環状光源４０Ｂ１を滅灯させた状態で、環状光源４０Ｂ２を連続点灯させる。この際、制御部２８は、環状光源４０Ｂ２を緑色に発光させる。環状光源４０Ｂ１が滅灯している状態で環状光源４０Ｂ２が緑色に発光することは、例えば待機状態であることを意味する。
【００４６】
なお、ここでは、棒状光源４０Ａ１〜４０Ａ５を連続点灯させる場合を例に説明するが、これに限定されるものではない。例えば、棒状光源４０Ａ１〜４０Ａ５を全て点滅させるようにしてもよい。また、ここでは、棒状光源４０Ａ１〜４０Ａ５を緑色に発光させる場合を例に説明するが、これに限定されるものではない。また、ここでは、環状光源４０Ｂ２を緑色に発光させる場合を例に説明するが、これに限定されるものではない。また、ここでは、環状光源４０Ｂ２を連続点灯させる場合を例に説明するが、これに限定されるものではない。環状光源４０Ｂ２を点滅させるようにしてもよい。
【００４７】
図４Ｇは、貯蔵部から貯蔵対象を放出中の場合における表示部の表示の例を示す図である。図４Ｇには、貯蔵量が６０％から５０％に遷移しつつある場合の例が示されている。貯蔵量が５０％を超えているため、表示器１４に備えられた制御部２８は、棒状光源４０Ａ１〜４０Ａ５を連続点灯させる。この際、制御部２８は、棒状光源４０Ａ１〜４０Ａ５を例えば緑色に発光させる。貯蔵量が６０％から５０％に遷移しつつあるため、制御部２８は、棒状光源４０Ａ６を点滅させる。この際、制御部２８は、棒状光源４０Ａ６を例えば緑色に発光させる。充填中においては、上述したように、棒状光源４０Ａが赤色で発光されたが、放出中においては、充填中とは異なる色で棒状光源４０Ａが発光される。また、制御部２８は、環状光源４０Ｂ１及び環状光源４０Ｂ２を緑色に発光させる。環状光源４０Ｂ１及び環状光源４０Ｂ２が緑色に発光することは、例えば放出中であることを意味する。
【００４８】
なお、ここでは、棒状光源４０Ａ１〜４０Ａ５を連続点灯させる場合を例に説明するが、これに限定されるものではない。例えば、棒状光源４０Ａ１〜４０Ａ６を全て点滅させるようにしてもよいし、棒状光源４０Ａ１〜４０Ａ６を全て連続点灯させるようにしてもよい。また、ここでは、棒状光源４０Ａ１〜４０Ａ６を緑色に発光させる場合を例に説明するが、これに限定されるものではない。また、ここでは、環状光源４０Ｂ１、４０Ｂ２を緑色に発光させる場合を例に説明するが、これに限定されるものではない。また、ここでは、環状光源４０Ｂ１、４０Ｂ２を連続点灯させる場合を例に説明するが、これに限定されるものではない。環状光源４０Ｂ１、４０Ｂ２を点滅させるようにしてもよい。
【００４９】
図４Ｈは、エラーが生じた際における表示部の表示の例を示す図である。図４Ｈには、貯蔵装置１２の状態が第１エラー状態Ｅ０１である場合の例が示されている。貯蔵装置１２の状態が第１エラー状態Ｅ０１であるため、表示器１４に備えられた制御部２８は、棒状光源４０Ａ１０を点灯させる。この際、制御部２８は、棒状光源４０Ａ１０を例えば赤色に発光させる。環状光源４０Ｂ、４０Ｃが滅灯している状態で棒状光源４０Ａが赤色に発光することは、エラーが生じていることを意味する。
【００５０】
なお、ここでは、棒状光源４０Ａ１０を連続点灯させる場合を例に説明するが、これに限定されるものではない。例えば、棒状光源４０Ａ１０を点滅させるようにしてもよい。また、ここでは、棒状光源４０Ａ１０を赤色に発光させる場合を例に説明するが、これに限定されるものではない。
【００５１】
図５は、本実施形態による貯蔵システムの動作の例を示すフローチャートである。図５に示す処理は、上述したステップＳ４において実行される。
【００５２】
ステップＳ１１において、表示器１４に備えられた制御部２８は、貯蔵部１６に貯蔵された貯蔵対象の貯蔵量が第１閾値を超えるか否か、より具体的には、貯蔵量が１００％であるか否かを判定する。貯蔵部１６に貯蔵された貯蔵対象の貯蔵量が第１閾値を超える場合（ステップＳ１１においてＹＥＳ）、ステップＳ１２に遷移する。貯蔵部１６に貯蔵された貯蔵対象の貯蔵量が第１閾値以下である場合（ステップＳ１１においてＮＯ）、ステップＳ１３に遷移する。
【００５３】
ステップＳ１２において、制御部２８は、貯蔵部１６に貯蔵された貯蔵対象の貯蔵量が第１閾値を超えることを示す表示、即ち、満充電状態表示を実行する。満充電状態表示においては、例えば図４Ｃを用いて上述したような表示が実行される。即ち、例えば、棒状光源４０Ａ１０と、環状光源４０Ｂ１と、環状光源４０Ｂ２とが点灯されることにより、算用数字の「１００」が表示される。
【００５４】
ステップＳ１３において、制御部２８は、貯蔵部１６に貯蔵された貯蔵対象の貯蔵量が第２閾値未満であるか否か、より具体的には、貯蔵量が０％であるか否かを判定する。貯蔵部１６に貯蔵された貯蔵対象の貯蔵量が第２閾値未満である場合（ステップＳ１３においてＹＥＳ）、ステップＳ１４に遷移する。貯蔵部１６に貯蔵された貯蔵対象の貯蔵量が第２閾値未満でない場合（ステップＳ１３においてＮＯ）、ステップＳ１５に遷移する。
【００５５】
ステップＳ１４において、制御部２８は、貯蔵部１６に貯蔵された貯蔵対象の貯蔵量が第２閾値未満であることを示す表示、即ち、残量ゼロ表示を実行する。残量ゼロ表示においては、例えば図４Ｄを用いて上述したような表示が実行される。即ち、例えば、環状光源４０Ｃが点灯されることにより、算用数字の「０」が表示される。
【００５６】
ステップＳ１５において、制御部２８は、貯蔵装置１２が待機中であるか否かを判定する。貯蔵装置１２が待機中である場合（ステップＳ１５においてＹＥＳ）、ステップＳ１６に遷移する。貯蔵装置１２が待機中でない場合（ステップＳ１５においてＮＯ）、ステップＳ１７に遷移する。
【００５７】
ステップＳ１６において、制御部２８は、待機状態表示処理を実行する。待機状態表示処理については、図６を用いて後述する。
【００５８】
ステップＳ１７において、制御部２８は、貯蔵装置１２が充電中であるか否かを判定する。貯蔵装置１２が充電中である場合（ステップＳ１７においてＹＥＳ）、ステップＳ１８に遷移する。貯蔵装置１２が充電中でない場合（ステップＳ１７においてＮＯ）、ステップＳ１９に遷移する。
【００５９】
ステップＳ１８において、制御部２８は、充電状態表示処理（充填状態表示処理）を実行する。充電状態表示処理については、図７を用いて後述する。
【００６０】
ステップＳ１９において、制御部２８は、貯蔵装置１２が放電中であるか否かを判定する。貯蔵装置１２が放電中である場合（ステップＳ１９においてＹＥＳ）、ステップＳ２０に遷移する。貯蔵装置１２が放電中でない場合（ステップＳ１９においてＮＯ）、ステップＳ２１に遷移する。
【００６１】
ステップＳ２０において、制御部２８は、放電状態表示処理を実行する。放電状態表示処理については、図８を用いて後述する。
【００６２】
ステップＳ２１において、制御部２８は、エラー状態表示処理を実行する。エラー状態表示処理については、図９を用いて後述する。
【００６３】
図６は、待機状態表示処理の例を示すフローチャートである。図６には、上述したステップＳ１６において実行される処理が示されている。
【００６４】
ステップＳ３１において、表示器１４に備えられた制御部２８は、貯蔵部１６に貯蔵された貯蔵対象の貯蔵量が９０〜９９％であるか否かを判定する。貯蔵部１６に貯蔵された貯蔵対象の貯蔵量が９０〜９９％である場合（ステップＳ３１においてＹＥＳ）、ステップＳ３２に遷移する。貯蔵部１６に貯蔵された貯蔵対象の貯蔵量が９０〜９９％でない場合（ステップＳ３１においてＮＯ）、ステップＳ３３に遷移する。
【００６５】
ステップＳ３２において、制御部２８は、貯蔵装置１２の状態が第１待機状態Ｓ０１であると判定する。
【００６６】
ステップＳ３３において、表示器１４に備えられた制御部２８は、貯蔵部１６に貯蔵された貯蔵対象の貯蔵量が８０〜８９％であるか否かを判定する。貯蔵部１６に貯蔵された貯蔵対象の貯蔵量が８０〜８９％である場合（ステップＳ３３においてＹＥＳ）、ステップＳ３４に遷移する。貯蔵部１６に貯蔵された貯蔵対象の貯蔵量が８０〜８９％でない場合（ステップＳ３３においてＮＯ）、ステップＳ３５に遷移する。
【００６７】
ステップＳ３４において、制御部２８は、貯蔵装置１２の状態が第２待機状態Ｓ０２であると判定する。
【００６８】
ステップＳ３５において、表示器１４に備えられた制御部２８は、貯蔵部１６に貯蔵された貯蔵対象の貯蔵量が７０〜７９％であるか否かを判定する。貯蔵部１６に貯蔵された貯蔵対象の貯蔵量が７０〜７９％である場合（ステップＳ３５においてＹＥＳ）、ステップＳ３６に遷移する。貯蔵部１６に貯蔵された貯蔵対象の貯蔵量が７０〜７９％でない場合（ステップＳ３５においてＮＯ）、ステップＳ３７に遷移する。
【００６９】
ステップＳ３６において、制御部２８は、貯蔵装置１２の状態が第３待機状態Ｓ０３であると判定する。
【００７０】
ステップＳ３７において、表示器１４に備えられた制御部２８は、貯蔵部１６に貯蔵された貯蔵対象の貯蔵量が６０〜６９％であるか否かを判定する。貯蔵部１６に貯蔵された貯蔵対象の貯蔵量が６０〜６９％である場合（ステップＳ３７においてＹＥＳ）、ステップＳ３８に遷移する。貯蔵部１６に貯蔵された貯蔵対象の貯蔵量が６０〜６９％でない場合（ステップＳ３７においてＮＯ）、ステップＳ３９に遷移する。
【００７１】
ステップＳ３８において、制御部２８は、貯蔵装置１２の状態が第４待機状態Ｓ０４であると判定する。
【００７２】
ステップＳ３９において、表示器１４に備えられた制御部２８は、貯蔵部１６に貯蔵された貯蔵対象の貯蔵量が５０〜５９％であるか否かを判定する。貯蔵部１６に貯蔵された貯蔵対象の貯蔵量が５０〜５９％である場合（ステップＳ３９においてＹＥＳ）、ステップＳ４０に遷移する。貯蔵部１６に貯蔵された貯蔵対象の貯蔵量が５０〜５９％でない場合（ステップＳ３９においてＮＯ）、ステップＳ４１に遷移する。
【００７３】
ステップＳ４０において、制御部２８は、貯蔵装置１２の状態が第５待機状態Ｓ０５であると判定する。
【００７４】
ステップＳ４１において、表示器１４に備えられた制御部２８は、貯蔵部１６に貯蔵された貯蔵対象の貯蔵量が４０〜４９％であるか否かを判定する。貯蔵部１６に貯蔵された貯蔵対象の貯蔵量が４０〜４９％である場合（ステップＳ４１においてＹＥＳ）、ステップＳ４２に遷移する。貯蔵部１６に貯蔵された貯蔵対象の貯蔵量が４０〜４９％でない場合（ステップＳ４１においてＮＯ）、ステップＳ４３に遷移する。
【００７５】
ステップＳ４２において、制御部２８は、貯蔵装置１２の状態が第６待機状態Ｓ０６であると判定する。
【００７６】
ステップＳ４３において、表示器１４に備えられた制御部２８は、貯蔵部１６に貯蔵された貯蔵対象の貯蔵量が３０〜３９％であるか否かを判定する。貯蔵部１６に貯蔵された貯蔵対象の貯蔵量が３０〜３９％である場合（ステップＳ４３においてＹＥＳ）、ステップＳ４４に遷移する。貯蔵部１６に貯蔵された貯蔵対象の貯蔵量が３０〜３９％でない場合（ステップＳ４３においてＮＯ）、ステップＳ４５に遷移する。
【００７７】
ステップＳ４４において、制御部２８は、貯蔵装置１２の状態が第７待機状態Ｓ０７であると判定する。
【００７８】
ステップＳ４５において、表示器１４に備えられた制御部２８は、貯蔵部１６に貯蔵された貯蔵対象の貯蔵量が２０〜２９％であるか否かを判定する。貯蔵部１６に貯蔵された貯蔵対象の貯蔵量が２０〜２９％である場合（ステップＳ４５においてＹＥＳ）、ステップＳ４６に遷移する。貯蔵部１６に貯蔵された貯蔵対象の貯蔵量が２０〜２９％でない場合（ステップＳ４５においてＮＯ）、ステップＳ４７に遷移する。
【００７９】
ステップＳ４６において、制御部２８は、貯蔵装置１２の状態が第８待機状態Ｓ０８であると判定する。
【００８０】
ステップＳ４７において、表示器１４に備えられた制御部２８は、貯蔵部１６に貯蔵された貯蔵対象の貯蔵量が１０〜１９％であるか否かを判定する。貯蔵部１６に貯蔵された貯蔵対象の貯蔵量が１０〜１９％である場合（ステップＳ４７においてＹＥＳ）、ステップＳ４８に遷移する。貯蔵部１６に貯蔵された貯蔵対象の貯蔵量が１０〜１９％でない場合（ステップＳ４７においてＮＯ）、即ち、貯蔵量が１〜９％である場合、ステップＳ４９に遷移する。
【００８１】
ステップＳ４８において、制御部２８は、貯蔵装置１２の状態が第９待機状態Ｓ０９であると判定する。
【００８２】
ステップＳ４９において、制御部２８は、貯蔵装置１２の状態が第１０待機状態Ｓ１０であると判定する。こうして、図６に示す処理が完了する。
【００８３】
図７は、充電状態表示処理の例を示すフローチャートである。図７には、上述したステップＳ１８において実行される処理が示されている。
【００８４】
ステップＳ５１において、表示器１４に備えられた制御部２８は、貯蔵部１６に貯蔵された貯蔵対象の貯蔵量が９０〜９９％であるか否かを判定する。貯蔵部１６に貯蔵された貯蔵対象の貯蔵量が９０〜９９％である場合（ステップＳ５１においてＹＥＳ）、ステップＳ５２に遷移する。貯蔵部１６に貯蔵された貯蔵対象の貯蔵量が９０〜９９％でない場合（ステップＳ５１においてＮＯ）、ステップＳ５３に遷移する。
【００８５】
ステップＳ５２において、制御部２８は、貯蔵装置１２の状態が第１充電状態Ｃ０１であると判定する。
【００８６】
ステップＳ５３において、表示器１４に備えられた制御部２８は、貯蔵部１６に貯蔵された貯蔵対象の貯蔵量が８０〜８９％であるか否かを判定する。貯蔵部１６に貯蔵された貯蔵対象の貯蔵量が８０〜８９％である場合（ステップＳ５３においてＹＥＳ）、ステップＳ５４に遷移する。貯蔵部１６に貯蔵された貯蔵対象の貯蔵量が８０〜８９％でない場合（ステップＳ５３においてＮＯ）、ステップＳ５５に遷移する。
【００８７】
ステップＳ５４において、制御部２８は、貯蔵装置１２の状態が第２充電状態Ｃ０２であると判定する。
【００８８】
ステップＳ５５において、表示器１４に備えられた制御部２８は、貯蔵部１６に貯蔵された貯蔵対象の貯蔵量が７０〜７９％であるか否かを判定する。貯蔵部１６に貯蔵された貯蔵対象の貯蔵量が７０〜７９％である場合（ステップＳ５５においてＹＥＳ）、ステップＳ５６に遷移する。貯蔵部１６に貯蔵された貯蔵対象の貯蔵量が７０〜７９％でない場合（ステップＳ５５においてＮＯ）、ステップＳ５７に遷移する。
【００８９】
ステップＳ５６において、制御部２８は、貯蔵装置１２の状態が第３充電状態Ｃ０３であると判定する。
【００９０】
ステップＳ５７において、表示器１４に備えられた制御部２８は、貯蔵部１６に貯蔵された貯蔵対象の貯蔵量が６０〜６９％であるか否かを判定する。貯蔵部１６に貯蔵された貯蔵対象の貯蔵量が６０〜６９％である場合（ステップＳ５７においてＹＥＳ）、ステップＳ５８に遷移する。貯蔵部１６に貯蔵された貯蔵対象の貯蔵量が６０〜６９％でない場合（ステップＳ５７においてＮＯ）、ステップＳ５９に遷移する。
【００９１】
ステップＳ５８において、制御部２８は、貯蔵装置１２の状態が第４充電状態Ｃ０４であると判定する。
【００９２】
ステップＳ５９において、表示器１４に備えられた制御部２８は、貯蔵部１６に貯蔵された貯蔵対象の貯蔵量が５０〜５９％であるか否かを判定する。貯蔵部１６に貯蔵された貯蔵対象の貯蔵量が５０〜５９％である場合（ステップＳ５９においてＹＥＳ）、ステップＳ６０に遷移する。貯蔵部１６に貯蔵された貯蔵対象の貯蔵量が５０〜５９％でない場合（ステップＳ５９においてＮＯ）、ステップＳ６１に遷移する。
【００９３】
ステップＳ６０において、制御部２８は、貯蔵装置１２の状態が第５充電状態Ｃ０５であると判定する。
【００９４】
ステップＳ６１において、表示器１４に備えられた制御部２８は、貯蔵部１６に貯蔵された貯蔵対象の貯蔵量が４０〜４９％であるか否かを判定する。貯蔵部１６に貯蔵された貯蔵対象の貯蔵量が４０〜４９％である場合（ステップＳ６１においてＹＥＳ）、ステップＳ６２に遷移する。貯蔵部１６に貯蔵された貯蔵対象の貯蔵量が４０〜４９％でない場合（ステップＳ６１においてＮＯ）、ステップＳ６３に遷移する。
【００９５】
ステップＳ６２において、制御部２８は、貯蔵装置１２の状態が第６充電状態Ｃ０６であると判定する。
【００９６】
ステップＳ６３において、表示器１４に備えられた制御部２８は、貯蔵部１６に貯蔵された貯蔵対象の貯蔵量が３０〜３９％であるか否かを判定する。貯蔵部１６に貯蔵された貯蔵対象の貯蔵量が３０〜３９％である場合（ステップＳ６３においてＹＥＳ）、ステップＳ６４に遷移する。貯蔵部１６に貯蔵された貯蔵対象の貯蔵量が３０〜３９％でない場合（ステップＳ６３においてＮＯ）、ステップＳ６５に遷移する。
【００９７】
ステップＳ６４において、制御部２８は、貯蔵装置１２の状態が第７充電状態Ｃ０７であると判定する。
【００９８】
ステップＳ６５において、表示器１４に備えられた制御部２８は、貯蔵部１６に貯蔵された貯蔵対象の貯蔵量が２０〜２９％であるか否かを判定する。貯蔵部１６に貯蔵された貯蔵対象の貯蔵量が２０〜２９％である場合（ステップＳ６５においてＹＥＳ）、ステップＳ６６に遷移する。貯蔵部１６に貯蔵された貯蔵対象の貯蔵量が２０〜２９％でない場合（ステップＳ６５においてＮＯ）、ステップＳ６７に遷移する。
【００９９】
ステップＳ６６において、制御部２８は、貯蔵装置１２の状態が第８充電状態Ｃ０８であると判定する。
【０１００】
ステップＳ６７において、表示器１４に備えられた制御部２８は、貯蔵部１６に貯蔵された貯蔵対象の貯蔵量が１０〜１９％であるか否かを判定する。貯蔵部１６に貯蔵された貯蔵対象の貯蔵量が１０〜１９％である場合（ステップＳ６７においてＹＥＳ）、ステップＳ６８に遷移する。貯蔵部１６に貯蔵された貯蔵対象の貯蔵量が１０〜１９％でない場合（ステップＳ６７においてＮＯ）、即ち、貯蔵量が１〜９％である場合、ステップＳ６９に遷移する。
【０１０１】
ステップＳ６８において、制御部２８は、貯蔵装置１２の状態が第９充電状態Ｃ０９であると判定する。
【０１０２】
ステップＳ６９において、制御部２８は、貯蔵装置１２の状態が第１０充電状態Ｃ１０であると判定する。こうして、図７に示す処理が完了する。
【０１０３】
図８は、放電状態表示処理の例を示すフローチャートである。図８には、上述したステップＳ２０において実行される処理が示されている。
【０１０４】
ステップＳ７１において、表示器１４に備えられた制御部２８は、貯蔵部１６に貯蔵された貯蔵対象の貯蔵量が９０〜９９％であるか否かを判定する。貯蔵部１６に貯蔵された貯蔵対象の貯蔵量が９０〜９９％である場合（ステップＳ７１においてＹＥＳ）、ステップＳ７２に遷移する。貯蔵部１６に貯蔵された貯蔵対象の貯蔵量が９０〜９９％でない場合（ステップＳ７１においてＮＯ）、ステップＳ７３に遷移する。
【０１０５】
ステップＳ７２において、制御部２８は、貯蔵装置１２の状態が第１放電状態Ｄ０１であると判定する。
【０１０６】
ステップＳ７３において、表示器１４に備えられた制御部２８は、貯蔵部１６に貯蔵された貯蔵対象の貯蔵量が８０〜８９％であるか否かを判定する。貯蔵部１６に貯蔵された貯蔵対象の貯蔵量が８０〜８９％である場合（ステップＳ７３においてＹＥＳ）、ステップＳ７４に遷移する。貯蔵部１６に貯蔵された貯蔵対象の貯蔵量が８０〜８９％でない場合（ステップＳ７３においてＮＯ）、ステップＳ７５に遷移する。
【０１０７】
ステップＳ７４において、制御部２８は、貯蔵装置１２の状態が第２放電状態Ｄ０２であると判定する。
【０１０８】
ステップＳ７５において、表示器１４に備えられた制御部２８は、貯蔵部１６に貯蔵された貯蔵対象の貯蔵量が７０〜７９％であるか否かを判定する。貯蔵部１６に貯蔵された貯蔵対象の貯蔵量が７０〜７９％である場合（ステップＳ７５においてＹＥＳ）、ステップＳ７６に遷移する。貯蔵部１６に貯蔵された貯蔵対象の貯蔵量が７０〜７９％でない場合（ステップＳ７５においてＮＯ）、ステップＳ７７に遷移する。
【０１０９】
ステップＳ７６において、制御部２８は、貯蔵装置１２の状態が第３放電状態Ｄ０３であると判定する。
【０１１０】
ステップＳ７７において、表示器１４に備えられた制御部２８は、貯蔵部１６に貯蔵された貯蔵対象の貯蔵量が６０〜６９％であるか否かを判定する。貯蔵部１６に貯蔵された貯蔵対象の貯蔵量が６０〜６９％である場合（ステップＳ７７においてＹＥＳ）、ステップＳ７８に遷移する。貯蔵部１６に貯蔵された貯蔵対象の貯蔵量が６０〜６９％でない場合（ステップＳ７７においてＮＯ）、ステップＳ７９に遷移する。
【０１１１】
ステップＳ７８において、制御部２８は、貯蔵装置１２の状態が第４放電状態Ｄ０４であると判定する。
【０１１２】
ステップＳ７９において、表示器１４に備えられた制御部２８は、貯蔵部１６に貯蔵された貯蔵対象の貯蔵量が５０〜５９％であるか否かを判定する。貯蔵部１６に貯蔵された貯蔵対象の貯蔵量が５０〜５９％である場合（ステップＳ７９においてＹＥＳ）、ステップＳ８０に遷移する。貯蔵部１６に貯蔵された貯蔵対象の貯蔵量が５０〜５９％でない場合（ステップＳ７９においてＮＯ）、ステップＳ８１に遷移する。
【０１１３】
ステップＳ８０において、制御部２８は、貯蔵装置１２の状態が第５放電状態Ｄ０５であると判定する。
【０１１４】
ステップＳ８１において、表示器１４に備えられた制御部２８は、貯蔵部１６に貯蔵された貯蔵対象の貯蔵量が４０〜４９％であるか否かを判定する。貯蔵部１６に貯蔵された貯蔵対象の貯蔵量が４０〜４９％である場合（ステップＳ８１においてＹＥＳ）、ステップＳ８２に遷移する。貯蔵部１６に貯蔵された貯蔵対象の貯蔵量が４０〜４９％でない場合（ステップＳ８１においてＮＯ）、ステップＳ８３に遷移する。
【０１１５】
ステップＳ８２において、制御部２８は、貯蔵装置１２の状態が第６放電状態Ｄ０６であると判定する。
【０１１６】
ステップＳ８３において、表示器１４に備えられた制御部２８は、貯蔵部１６に貯蔵された貯蔵対象の貯蔵量が３０〜３９％であるか否かを判定する。貯蔵部１６に貯蔵された貯蔵対象の貯蔵量が３０〜３９％である場合（ステップＳ８３においてＹＥＳ）、ステップＳ８４に遷移する。貯蔵部１６に貯蔵された貯蔵対象の貯蔵量が３０〜３９％でない場合（ステップＳ８３においてＮＯ）、ステップＳ８５に遷移する。
【０１１７】
ステップＳ８４において、制御部２８は、貯蔵装置１２の状態が第７放電状態Ｄ０７であると判定する。
【０１１８】
ステップＳ８５において、表示器１４に備えられた制御部２８は、貯蔵部１６に貯蔵された貯蔵対象の貯蔵量が２０〜２９％であるか否かを判定する。貯蔵部１６に貯蔵された貯蔵対象の貯蔵量が２０〜２９％である場合（ステップＳ８５においてＹＥＳ）、ステップＳ８６に遷移する。貯蔵部１６に貯蔵された貯蔵対象の貯蔵量が２０〜２９％でない場合（ステップＳ８５においてＮＯ）、ステップＳ８７に遷移する。
【０１１９】
ステップＳ８６において、制御部２８は、貯蔵装置１２の状態が第８放電状態Ｄ０８であると判定する。
【０１２０】
ステップＳ８７において、表示器１４に備えられた制御部２８は、貯蔵部１６に貯蔵された貯蔵対象の貯蔵量が１０〜１９％であるか否かを判定する。貯蔵部１６に貯蔵された貯蔵対象の貯蔵量が１０〜１９％である場合（ステップＳ８７においてＹＥＳ）、ステップＳ８８に遷移する。貯蔵部１６に貯蔵された貯蔵対象の貯蔵量が１０〜１９％でない場合（ステップＳ８７においてＮＯ）、即ち、貯蔵量が１〜９％である場合、ステップＳ８９に遷移する。
【０１２１】
ステップＳ８８において、制御部２８は、貯蔵装置１２の状態が第９放電状態Ｄ０９であると判定する。
【０１２２】
ステップＳ８９において、制御部２８は、貯蔵装置１２の状態が第１０放電状態Ｄ１０であると判定する。こうして、図８に示す処理が完了する。
【０１２３】
図９は、エラー状態表示処理の例を示すフローチャートである。図９には、上述したステップＳ２１において実行される処理が示されている。
【０１２４】
ステップＳ９１において、表示器１４に備えられた制御部２８は、貯蔵装置１２から供給された情報が、第１エラー状態Ｅ０１に該当する情報であるか否かを判定する。当該情報が第１エラー状態Ｅ０１に該当する情報である場合（ステップＳ９１においてＹＥＳ）、ステップＳ９２に遷移する。当該情報が第１エラー状態Ｅ０１に該当する情報でない場合（ステップＳ９１においてＮＯ）、ステップＳ９３に遷移する。
【０１２５】
ステップＳ９２において、制御部２８は、貯蔵装置１２の状態が第１エラー状態Ｅ０１であると判定する。
【０１２６】
ステップＳ９３において、表示器１４に備えられた制御部２８は、貯蔵装置１２から供給された情報が第２エラー状態Ｅ０２に該当する情報であるか否かを判定する。当該情報が第２エラー状態Ｅ０２に該当する情報である場合（ステップＳ９３においてＹＥＳ）、ステップＳ９４に遷移する。当該情報が第２エラー状態Ｅ０２に該当する情報でない場合（ステップＳ９３においてＮＯ）、ステップＳ９５に遷移する。
【０１２７】
ステップＳ９４において、制御部２８は、貯蔵装置１２の状態が第２エラー状態Ｅ０２であると判定する。
【０１２８】
ステップＳ９５において、表示器１４に備えられた制御部２８は、貯蔵装置１２から供給された情報が第３エラー状態Ｅ０３に該当する情報であるか否かを判定する。当該情報が第３エラー状態Ｅ０３に該当する情報である場合（ステップＳ９５においてＹＥＳ）、ステップＳ９６に遷移する。当該情報が第３エラー状態Ｅ０３に該当する情報でない場合（ステップＳ９５においてＮＯ）、ステップＳ９７に遷移する。
【０１２９】
ステップＳ９６において、制御部２８は、貯蔵装置１２の状態が第３エラー状態Ｅ０３であると判定する。
【０１３０】
ステップＳ９７において、表示器１４に備えられた制御部２８は、貯蔵装置１２から供給された情報が第４エラー状態Ｅ０４に該当する情報であるか否かを判定する。当該情報が第４エラー状態Ｅ０４に該当する情報である場合（ステップＳ９７おいてＹＥＳ）、ステップＳ９８に遷移する。当該情報が第４エラー状態Ｅ０４に該当する情報でない場合（ステップＳ９７においてＮＯ）、ステップＳ９９に遷移する。
【０１３１】
ステップＳ９８において、制御部２８は、貯蔵装置１２の状態が第４エラー状態Ｅ０４であると判定する。
【０１３２】
ステップＳ９９において、表示器１４に備えられた制御部２８は、貯蔵装置１２から供給された情報が第５エラー状態Ｅ０５に該当する情報であるか否かを判定する。当該情報が第５エラー状態Ｅ０５に該当する情報である場合（ステップＳ９９おいてＹＥＳ）、ステップＳ１００に遷移する。当該情報が第５エラー状態Ｅ０５に該当する情報でない場合（ステップＳ９９においてＮＯ）、ステップＳ１０１に遷移する。
【０１３３】
ステップＳ１００において、制御部２８は、貯蔵装置１２の状態が第５エラー状態Ｅ０５であると判定する。
【０１３４】
ステップＳ１０１において、表示器１４に備えられた制御部２８は、貯蔵装置１２から供給された情報が第６エラー状態Ｅ０６に該当する情報であるか否かを判定する。当該情報が第６エラー状態Ｅ０６に該当する情報である場合（ステップＳ１０１おいてＹＥＳ）、ステップＳ１０２に遷移する。当該情報が第６エラー状態Ｅ０６に該当する情報でない場合（ステップＳ１０１においてＮＯ）、ステップＳ１０３に遷移する。
【０１３５】
ステップＳ１０２において、制御部２８は、貯蔵装置１２の状態が第６エラー状態Ｅ０６であると判定する。
【０１３６】
ステップＳ１０３において、表示器１４に備えられた制御部２８は、貯蔵装置１２から供給された情報が第７エラー状態Ｅ０７に該当する情報であるか否かを判定する。当該情報が第７エラー状態Ｅ０７に該当する情報である場合（ステップＳ１０３おいてＹＥＳ）、ステップＳ１０４に遷移する。当該情報が第７エラー状態Ｅ０７に該当する情報でない場合（ステップＳ１０３においてＮＯ）、ステップＳ１０５に遷移する。
【０１３７】
ステップＳ１０４において、制御部２８は、貯蔵装置１２の状態が第７エラー状態Ｅ０７であると判定する。
【０１３８】
ステップＳ１０５において、表示器１４に備えられた制御部２８は、貯蔵装置１２から供給された情報が第８エラー状態Ｅ０８に該当する情報であるか否かを判定する。当該情報が第８エラー状態Ｅ０８に該当する情報である場合（ステップＳ１０５おいてＹＥＳ）、ステップＳ１０６に遷移する。当該情報が第８エラー状態Ｅ０８に該当する情報でない場合（ステップＳ１０５においてＮＯ）、ステップＳ１０７に遷移する。
【０１３９】
ステップＳ１０６において、制御部２８は、貯蔵装置１２の状態が第８エラー状態Ｅ０８であると判定する。
【０１４０】
ステップＳ１０７において、表示器１４に備えられた制御部２８は、貯蔵装置１２から供給された情報が第９エラー状態Ｅ０９に該当する情報であるか否かを判定する。当該情報が第９エラー状態Ｅ０９に該当する情報である場合（ステップＳ１０７おいてＹＥＳ）、ステップＳ１０８に遷移する。当該情報が第９エラー状態Ｅ０９に該当する情報でない場合（ステップＳ１０７においてＮＯ）、即ち、第１０エラー状態Ｅ１０に該当する情報である場合、ステップＳ１０９に遷移する。
【０１４１】
ステップＳ１０８において、制御部２８は、貯蔵装置１２の状態が第９エラー状態Ｅ０９であると判定する。
【０１４２】
ステップＳ１０９において、制御部２８は、貯蔵装置１２の状態が第１０エラー状態Ｅ１０であると判定する。こうして、図９に示す処理が完了する。
【０１４３】
図１０は、待機状態における表示部の表示の例を示す図である。図１０には、各々の待機状態Ｓ０１〜Ｓ１０における表示部２６の表示の例が示されている。図１０に示すように、いずれの待機状態Ｓ０１〜Ｓ１０においても、制御部２８は、環状光源４０Ｂ１を滅灯させた状態で、環状光源４０Ｂ２を緑色に連続点灯させる。また、図１０に示すように、いずれの待機状態Ｓ０１〜Ｓ１０においても、制御部２８は、環状光源４０Ｃを滅灯させる。
【０１４４】
第１待機状態Ｓ０１においては、貯蔵量が９０〜９９％であるため、制御部２８は、棒状光源４０Ａ１〜４０Ａ９を緑色に連続点灯させる。第２待機状態Ｓ０２においては、貯蔵量が８０〜８９％であるため、制御部２８は、棒状光源４０Ａ１〜４０Ａ８を緑色に連続点灯させる。第３待機状態Ｓ０３においては、貯蔵量が７０〜７９％であるため、制御部２８は、棒状光源４０Ａ１〜４０Ａ７を連続点灯させる。第４待機状態Ｓ０４においては、貯蔵量が６０〜６９％であるため、制御部２８は、棒状光源４０Ａ１〜４０Ａ６を緑色に連続点灯させる。第５待機状態Ｓ０５においては、貯蔵量が５０〜５９％であるため、制御部２８は、棒状光源４０Ａ１〜４０Ａ５を緑色に連続点灯させる。第６待機状態Ｓ０６においては、貯蔵量が４０〜４９％であるため、制御部２８は、棒状光源４０Ａ１〜４０Ａ４を緑色に連続点灯させる。第７待機状態Ｓ０７においては、貯蔵量が３０〜３９％であるため、制御部２８は、棒状光源４０Ａ１〜４０Ａ３を緑色に連続点灯させる。第８待機状態Ｓ０８においては、貯蔵量が２０〜２９％であるため、制御部２８は、棒状光源４０Ａ１〜４０Ａ２を緑色に連続点灯させる。第９待機状態Ｓ０９においては、貯蔵量が１０〜１９％であるため、制御部２８は、棒状光源４０Ａ１を緑色に連続点灯させる。第１０待機状態Ｓ１０においては、貯蔵量が１〜９％であるため、制御部２８は、棒状光源４０Ａを点灯させない。
【０１４５】
図１１は、貯蔵部に貯蔵対象を充填中の場合における表示部の表示の例を示す図である。図１１には、充電状態（充填状態）Ｃ０１〜Ｃ１０における表示部２６の表示の例が示されている。図１１に示すように、いずれの充電状態Ｃ０１〜Ｃ１０においても、制御部２８は、環状光源４０Ｂ１を赤色に連続点灯させ、環状光源４０Ｂ２を緑色に連続点灯させる。また、図１１に示すように、いずれの充電状態Ｃ０１〜Ｃ１０においても、制御部２８は、環状光源４０Ｃを滅灯させる。
【０１４６】
第１充電状態Ｃ０１においては、貯蔵量が９０〜９９％であるため、制御部２８は、棒状光源４０Ａ１〜４０Ａ９を赤色に連続点灯させ、棒状光源４０Ａ１０を赤色に点滅させる。第２充電状態Ｃ０２においては、貯蔵量が８０〜８９％であるため、制御部２８は、棒状光源４０Ａ１〜４０Ａ８を赤色に連続点灯させ、棒状光源４０Ａ９を赤色に点滅させる。第３充電状態Ｃ０３においては、貯蔵量が７０〜７９％であるため、制御部２８は、棒状光源４０Ａ１〜４０Ａ７を赤色に連続点灯させ、棒状光源４０Ａ８を赤色に点滅させる。第４充電状態Ｃ０４においては、貯蔵量が６０〜６９％であるため、制御部２８は、棒状光源４０Ａ１〜４０Ａ６を赤色に連続点灯させ、棒状光源４０Ａ７を赤色に点滅させる。第５充電状態Ｃ０５においては、貯蔵量が５０〜５９％であるため、制御部２８は、棒状光源４０Ａ１〜４０Ａ５を赤色に連続点灯させ、棒状光源４０Ａ６を赤色に点滅させる。第６充電状態Ｃ０６においては、貯蔵量が４０〜４９％であるため、制御部２８は、棒状光源４０Ａ１〜４０Ａ４を赤色に連続点灯させ、棒状光源４０Ａ５を赤色に点滅させる。第７充電状態Ｃ０７においては、貯蔵量が３０〜３９％であるため、制御部２８は、棒状光源４０Ａ１〜４０Ａ３を赤色に連続点灯させ、棒状光源４０Ａ４を赤色に点滅させる。第８充電状態Ｃ０８においては、貯蔵量が２０〜２９％であるため、制御部２８は、棒状光源４０Ａ１〜４０Ａ２を赤色に連続点灯させ、棒状光源４０Ａ３を赤色に点滅させる。第９充電状態Ｃ０９においては、貯蔵量が１０〜１９％であるため、制御部２８は、棒状光源４０Ａ１を赤色に連続点灯させ、棒状光源４０Ａ２を赤色に点滅させる。第１０充電状態Ｃ１０においては、貯蔵量が１〜９％であるため、制御部２８は、棒状光源４０Ａ１を赤色に点滅させる。
【０１４７】
図１２は、放電状態における表示部の表示の例を示す図である。図１２には、放電状態（放出状態）Ｄ０１〜Ｄ１０における表示部２６の表示の例が示されている。図１２に示すように、いずれの放電状態Ｄ０１〜Ｄ１０においても、制御部２８は、環状光源４０Ｂ１、４０Ｂ２を緑色に連続点灯させる。また、図１２に示すように、いずれの放電状態Ｄ０１〜Ｄ１０においても、制御部２８は、環状光源４０Ｃを滅灯させる。
【０１４８】
第１放電状態Ｄ０１においては、貯蔵量が９０〜９９％であるため、制御部２８は、棒状光源４０Ａ１〜４０Ａ９を緑色に連続点灯させ、棒状光源４０Ａ１０を緑色に点滅させる。第２放電状態Ｄ０２においては、貯蔵量が８０〜８９％であるため、制御部２８は、棒状光源４０Ａ１〜４０Ａ８を緑色に連続点灯させ、棒状光源４０Ａ９を緑色に点滅させる。第３放電状態Ｄ０３においては、貯蔵量が７０〜７９％であるため、制御部２８は、棒状光源４０Ａ１〜４０Ａ７を緑色に連続点灯させ、棒状光源４０Ａ８を緑色に点滅させる。第４放電状態Ｄ０４においては、貯蔵量が６０〜６９％であるため、制御部２８は、棒状光源４０Ａ１〜４０Ａ６を緑色に連続点灯させ、棒状光源４０Ａ７を緑色に点滅させる。第５放電状態Ｄ０５においては、貯蔵量が５０〜５９％であるため、制御部２８は、棒状光源４０Ａ１〜４０Ａ５を緑色に連続点灯させ、棒状光源４０Ａ６を緑色に点滅させる。第６放電状態Ｄ０６においては、貯蔵量が４０〜４９％であるため、制御部２８は、棒状光源４０Ａ１〜４０Ａ４を緑色に連続点灯させ、棒状光源４０Ａ５を緑色に点滅させる。第７放電状態Ｄ０７においては、貯蔵量が３０〜３９％であるため、制御部２８は、棒状光源４０Ａ１〜４０Ａ３を緑色に連続点灯させ、棒状光源４０Ａ４を緑色に点滅させる。第８放電状態Ｄ０８においては、貯蔵量が２０〜２９％であるため、制御部２８は、棒状光源４０Ａ１〜４０Ａ２を緑色に連続点灯させ、棒状光源４０Ａ３を緑色に点滅させる。第９放電状態Ｄ０９においては、貯蔵量が１０〜１９％であるため、制御部２８は、棒状光源４０Ａ１を緑色に連続点灯させ、棒状光源４０Ａ２を緑色に点滅させる。第１０放電状態Ｄ１０においては、貯蔵量が１〜９％であるため、制御部２８は、棒状光源４０Ａ１を緑色に点滅させる。
【０１４９】
図１３は、エラー状態における表示部の表示の例を示す図である。図１３には、各々のエラー状態Ｅ０１〜Ｅ１０における表示部２６の表示の例が示されている。図１３に示すように、いずれのエラー状態Ｅ０１〜Ｅ１０においても、制御部２８は、環状光源４０Ｂ１を滅灯させた状態で、環状光源４０Ｂ２を赤色に連続点灯させる。また、図１２に示すように、いずれのエラー状態Ｅ０１〜Ｅ１０においても、制御部２８は、環状光源４０Ｃを滅灯させる。
【０１５０】
貯蔵装置１２の状態が第１エラー状態Ｅ０１である場合、即ち、エラーコードが０１である場合、制御部２８は、棒状光源４０Ａ１０を赤色に連続点灯させる。貯蔵装置１２の状態が第２エラー状態Ｅ０２である場合、即ち、エラーコードが０２である場合、制御部２８は、棒状光源４０Ａ９を赤色に連続点灯させる。貯蔵装置１２の状態が第３エラー状態Ｅ０３である場合、即ち、エラーコードが０３である場合、制御部２８は、棒状光源４０Ａ８を赤色に連続点灯させる。貯蔵装置１２の状態が第４エラー状態Ｅ０４である場合、即ち、エラーコードが０４である場合、制御部２８は、棒状光源４０Ａ７を赤色に連続点灯させる。貯蔵装置１２の状態が第５エラー状態Ｅ０５である場合、即ち、エラーコードが０５である場合、制御部２８は、棒状光源４０Ａ６を赤色に連続点灯させる。貯蔵装置１２の状態が第６エラー状態Ｅ０６である場合、即ち、エラーコードが０６である場合、制御部２８は、棒状光源４０Ａ５を赤色に連続点灯させる。貯蔵装置１２の状態が第７エラー状態Ｅ０７である場合、即ち、エラーコードが０７である場合、制御部２８は、棒状光源４０Ａ４を赤色に連続点灯させる。貯蔵装置１２の状態が第８エラー状態Ｅ０８である場合、即ち、エラーコードが０８である場合、制御部２８は、棒状光源４０Ａ３を赤色に連続点灯させる。貯蔵装置１２の状態が第９エラー状態Ｅ０９である場合、即ち、エラーコードが０９である場合、制御部２８は、棒状光源４０Ａ２を赤色に連続点灯させる。貯蔵装置１２の状態が第１０エラー状態Ｅ１０である場合、即ち、エラーコードが１０である場合、制御部２８は、棒状光源４０Ａ１を赤色に連続点灯させる。
【０１５１】
このように、本実施形態では、第１光源部４２Ａに備えられた複数の棒状光源４０Ａのうちのいずれかと、第２光源部４２Ｂに備えられた２つの環状光源４０Ｂとを発光させることにより、算用数字の１００を表し得る。従って、本実施形態によれば、貯蔵量を良好に視認させ得る表示器１４を提供することができる。
【０１５２】
（変形例１）
図３Ｂは、本実施形態の変形例１による表示器に備えられた表示部の例を示す概略図である。
【０１５３】
本変形例による表示器１４に備えられた表示部２６は、第１光源部４２Ａの構成が、図３Ａを用いて上述した表示部２６と異なっている。
【０１５４】
本変形例では、図３Ａを用いて上述した棒状光源４０Ａ１の代わりに、上下に分離された棒状光源４０Ａ１Ａ、４０Ａ１Ｂが配されている。また、本変形例では、図３Ａを用いて上述した棒状光源４０Ａ２の代わりに、上下に分離された棒状光源４０Ａ２Ａ、４０Ａ２Ｂが配されている。また、本変形例では、図３Ａを用いて上述した棒状光源４０Ａ３の代わりに、上下に分離された棒状光源４０Ａ３Ａ、４０Ａ３Ｂが配されている。また、本変形例では、図３Ａを用いて上述した棒状光源４０Ａ４の代わりに、上下に分離された棒状光源４０Ａ４Ａ、４０Ａ４Ｂが配されている。また、本変形例では、図３Ａを用いて上述した棒状光源４０Ａ５の代わりに、上下に分離された棒状光源４０Ａ５Ａ、４０Ａ５Ｂが配されている。また、本変形例では、図３Ａを用いて上述した棒状光源４０Ａ６の代わりに、上下に分離された棒状光源４０Ａ６Ａ、４０Ａ６Ｂが配されている。また、本変形例では、図３Ａを用いて上述した棒状光源４０Ａ７の代わりに、上下に分離された棒状光源４０Ａ７Ａ、４０Ａ７Ｂが配されている。また、本変形例では、図３Ａを用いて上述した棒状光源４０Ａ８の代わりに、上下に分離された棒状光源４０Ａ８Ａ、４０Ａ８Ｂが配されている。また、本変形例では、図３Ａを用いて上述した棒状光源４０Ａ９の代わりに、上下に分離された棒状光源４０Ａ９Ａ、４０Ａ９Ｂが配されている。棒状光源４０Ａ１０は、図３Ａを用いて上述した棒状光源４０Ａ１０と同様である。
【０１５５】
このように、互いに上下に分離された棒状光源４０Ａ１Ａ〜４０Ａ９Ａ、４０Ａ１Ｂ〜４０Ａ９Ｂによって、棒状光源４０Ａ１〜４０Ａ９が構成されるようにしてもよい。
【０１５６】
（変形例２）
図３Ｃは、本実施形態の変形例２による表示器に備えられた表示部の例を示す概略図である。
【０１５７】
本変形例による表示器１４に備えられた表示部２６は、第１光源部４２Ａに備えられた棒状光源４０Ａの数が、図３Ａを用いて上述した表示部２６と異なっている。
【０１５８】
図３Ｃに示すように、表示部２６には、５個の棒状光源４０Ａ１〜４０Ａ５が備えられている。このように、５個の棒状光源４０Ａ１〜４０Ａ５によって第１光源部４２Ａが構成されるようにしてもよい。
【０１５９】
（変形例３）
図３Ｄは、本実施形態の変形例３による表示器に備えられた表示部の例を示す概略図である。
【０１６０】
本変形例による表示器１４に備えられた表示部２６は、第１光源部４２Ａに備えられた棒状光源４０Ａの数が、図３Ａを用いて上述した表示部２６と異なっている。
【０１６１】
図３Ｄに示すように、表示部２６には、２０個の棒状光源４０Ａ１〜４０Ａ２０が備えられている。このように、２０個の棒状光源４０Ａ１〜４０Ａ２０によって第１光源部４２Ａが構成されるようにしてもよい。
【０１６２】
（変形例４）
図３Ｅは、本実施形態の変形例４による表示器に備えられた表示部の例を示す概略図である。
【０１６３】
本変形例による表示器１４に備えられた表示部２６は、第３光源部４２Ｃが備えられていない点が、図３Ａを用いて上述した表示部２６と異なっている。
【０１６４】
このように、第３光源部４２Ｃが備えられていなくてもよい。
【０１６５】
（変形例５）
図３Ｆは、本実施形態の変形例５による表示器に備えられた表示部の例を示す概略図である。
【０１６６】
本変形例による表示器１４に備えられた表示部２６は、第３光源部４２Ｃが備えられていない点と、第１光源部４２Ａに備えられた棒状光源４０Ａの数とが、図３Ａを用いて上述した表示部２６と異なっている。
【０１６７】
図３Ｆに示すように、本変形例では、第３光源部４２Ｃが備えられていない。また、本変形例では、５個の棒状光源４０Ａ１〜４０Ａ５によって第１光源部４２Ａが構成されている。このように、第３光源部４２Ｃが備えられていなくてもよく、また、５個の棒状光源４０Ａ１〜４０Ａ５によって第１光源部４２Ａが構成されていてもよい。
【０１６８】
（変形例６）
図３Ｇは、本実施形態の変形例６による表示器に備えられた表示部の例を示す概略図である。
【０１６９】
本変形例による表示器１４に備えられた表示部２６は、棒状光源４０Ａ１〜４０Ａ５が上段に配されており、棒状光源４０Ａ６〜４０Ａ１０が下段に配されている点が、図３Ａを用いて上述した表示部２６と異なっている。また、本変形例による表示器１４に備えられた表示部２６は、棒状光源４０Ａ１〜４０Ａ５によって構成される光源群の右側に第３光源部４２Ｃが配されている点が、図３Ａを用いて上述した表示部２６と異なっている。本変形例による表示部２６では、棒状光源４０Ａ６〜４０Ａ１０によって構成される光源群の右側に第２光源部４２Ｂが配されている。
【０１７０】
本変形例のように棒状光源４０Ａ、環状光源４０Ｂ、４０Ｃがレイアウトされていてもよい。
【０１７１】
本発明についての好適な実施形態を上述したが、本発明は上記実施形態に限定されるものではなく、本発明の要旨を逸脱しない範囲において、種々の改変が可能である。
【０１７２】
例えば、上記実施形態では、貯蔵対象が電荷である場合を例に説明したが、これに限定されるものではない。例えば、貯蔵対象が水等の液体であってもよい。
【０１７３】
また、上記実施形態では、第２光源部４２Ｂに備えられた２つの環状光源４０Ｂ１、４０Ｂ２と、第２光源部４２Ｂに隣接する棒状光源４０Ａ１０とを発光させることにより算用数字の１００を表示したが、これに限定されるものではない。第２光源部４２Ｂに備えられた２つの環状光源４０Ｂ１、４０Ｂ２と、第１光源部４２Ａに備えられた複数の棒状光源４０Ａのうちのいずれかとを発光させることによって算用数字の１００を表示するようにしてもよい。例えば、第２光源部４２Ｂに備えられた２つの環状光源４０Ｂ１、４０Ｂ２と、第１光源部４２Ａに備えられた棒状光源４０Ａ９とを発光させることにより算用数字の１００を表示するようにしてもよい。
【０１７４】
上記実施形態をまとめると以下のようになる。
【０１７５】
表示器（１４）は、所定方向に配列された複数の棒状光源（４０Ａ１〜４０Ａ１０）を備える第１光源部（４２Ａ）と、前記所定方向に配列された複数の環状光源（４０Ｂ１、４０Ｂ２）を備えるとともに前記第１光源部に隣接するように前記第１光源部の一方の側に配された第２光源部（４２Ｂ）とを備える表示部（２６）と、貯蔵部（１６）に貯蔵された貯蔵対象の貯蔵量に応じた前記棒状光源を発光させる制御部（２８）とを備え、前記制御部は、前記第１光源部に備えられた前記複数の棒状光源のうちのいずれかと、前記第２光源部に備えられた２つの前記環状光源（４０Ｂ１、４０Ｂ２）とを発光させることにより、算用数字の１００を表示可能である。このような構成によれば、貯蔵量が最大の場合には、算用数字の１００を表示し得るため、貯蔵量を良好に視認させ得る表示器を提供することができる。
【０１７６】
前記制御部は、前記貯蔵量が第１閾値を超えた場合に、前記第１光源部に備えられた前記複数の棒状光源のうちの前記いずれかと、前記第２光源部に備えられた前記複数の環状光源とを発光させることにより、前記算用数字の１００を表示するようにしてもよい。
【０１７７】
前記表示部は、少なくとも１つの環状光源を備えるとともに、前記第１光源部に隣接するように前記第１光源部の他方の側に配された第３光源部（４２Ｃ）を更に備え、前記制御部は、前記第３光源部に備えられた前記環状光源を発光させることにより、算用数字の０を表示可能であるようにしてもよい。このような構成によれば、貯蔵量が最小の際には、算用数字の０を表示し得るため、貯蔵量を良好に視認させ得る表示器を提供することができる。
【０１７８】
前記制御部は、前記貯蔵量が第２閾値未満である場合に、前記第３光源部に備えられた前記環状光源を発光させることにより、前記算用数字の０を表示するようにしてもよい。
【０１７９】
前記制御部は、前記算用数字の１００を表示する際には、前記第１光源部に備えられた前記複数の棒状光源のうちの前記いずれかと、前記第２光源部に備えられた前記複数の環状光源とを第１の色で発光させ、前記算用数字の０を表示する際には、前記第３光源部に備えられた前記環状光源を前記第１の色とは異なる第２の色で発光させるようにしてもよい。このような構成によれば、貯蔵量が最大の際の表示色と、貯蔵量が最小の際の表示色とが異なるため、視認性の向上に寄与することができる。
【０１８０】
前記制御部は、前記貯蔵部に前記貯蔵対象を充填中である場合と、前記貯蔵部から前記貯蔵対象を放出中である場合とで、前記棒状光源を互いに異なる色で発光させるようにしてもよい。このような構成によれば、より視認性の良好な表示器を提供することができる。
【０１８１】
前記制御部は、前記貯蔵部に前記貯蔵対象を充填中である場合、前記第２光源部に備えられた前記複数の環状光源のうちの第１の環状光源と、前記第２光源部に備えられた前記複数の環状光源のうちの第２の環状光源とを互いに異なる色で発光させるようにしてもよい。このような構成によれば、より視認性の良好な表示器を提供することができる。
【０１８２】
前記制御部は、前記棒状光源又は前記環状光源を、連続発光又は点滅発光させ得るようにしてもよい。このような構成によれば、視認性の更なる向上に寄与することが可能である。
【０１８３】
前記制御部は、前記複数の環状光源のうちの少なくともいずれかを発光させることにより、前記貯蔵部に前記貯蔵対象を充填中であること、前記貯蔵部から前記貯蔵対象を放出中であること、前記貯蔵部に前記貯蔵対象が存在しないこと、及び、前記貯蔵部に前記貯蔵対象が存在していることのうちの少なくともいずれかを示すようにしてもよい。このような構成によれば、より視認性の良好な表示器を提供することができる。
【０１８４】
前記貯蔵部は、バッテリであってもよい。
【０１８５】
貯蔵システム（１０）は、前記貯蔵部が備えられた貯蔵装置（１２）と、上記のような表示器（１４）とを備える。
【符号の説明】
【０１８６】
１０…貯蔵システム                  １２…貯蔵装置
１４…表示器                        １６…貯蔵部
１８、２８…制御部                  ２０、３０…通信部
２１、３２…電源                    ２２、３４…演算部
２４、３６…記憶部                  ２６…表示部
３８…光源群                        ４０…光源
４０Ａ１〜４０Ａ２０、４０Ａ１Ａ〜４０Ａ９Ａ、４０Ａ１Ｂ〜４０Ａ９Ｂ…棒状光源
４０Ｂ１、４０Ｂ２、４０Ｃ…環状光源
４２Ａ…第１光源部                  ４２Ｂ…第２光源部
４２Ｃ…第３光源部
【図１】
2020198664.tif 000003
【図２】
2020198664.tif 000004
【図３】
2020198664.tif 000005
【図４】
2020198664.tif 000006
【図５】
2020198664.tif 000007
【図６】
2020198664.tif 000008
【図７】
2020198664.tif 000009
【図８】
2020198664.tif 000010
【図９】
2020198664.tif 000011
【図１０】
2020198664.tif 000012
【図１１】
2020198664.tif 000013
【図１２】
2020198664.tif 000014
【図１３】
2020198664.tif 000015